(57)【特許請求の範囲】
【請求項１】
縦方向及び横方向と、着用者の肌に対向する肌対向面及びその反対側の非肌対向面とを有し、前記縦方向に並ぶ前胴回り域と、後胴回り域と、前記前後胴回り域間に位置する股間域とを含み、前記股間域から前記前後胴回り域へ延び出す吸収構造体を備える使い捨て着用物品であって、
前記吸収構造体は、前記縦方向に延びる吸収体と、
前記吸収体の両側縁から前記横方向両外側に延び出す一対のサイドフラップとを備え、
前記一対のサイドフラップはそれぞれ、
前記吸収体の側縁から前記横方向に離間して前記縦方向に延びる遠位縁と、
前記吸収体の側縁と前記遠位縁との間の前記肌対向面に位置して前記縦方向に延びる分岐線と、
前記分岐線から分岐して前記着用物品の縦方向中心線に向かう方向に延び出す防漏カフ部と、
前記分岐線と前記遠位縁との間に位置して前記縦方向に延びるレッグ弾性部とを備え、
前記防漏カフ部と前記レッグ弾性部とは、前記分岐線において互いに接合され、
前記防漏カフ部は、前記分岐線から前記横方向に離間して前記縦方向に延びる自由縁を有し、前記自由縁に沿って防漏カフ弾性部材が伸長状態で接合され、
前記レッグ弾性部が、前記縦方向に延びるとともに前記横方向寸法が互いに等しい３つのサブ領域に区画され、
前記サブ領域のそれぞれに、脚回り弾性部材が前記縦方向に伸長状態で接合され、
前記レッグ弾性部の縦方向両端部に位置するレッグ弾性部前端部及びレッグ弾性部後端部がそれぞれ前記前胴回り域及び前記後胴回り域に接合されており、
前記サイドフラップにおいて、前記分岐線と前記防漏カフ弾性部材との間であって前記分岐線に接する位置に、分岐線弾性部材が前記縦方向に伸長状態で接合されていて、前記分岐線よりも前記横方向内側に側方弾性部材が伸長状態で接合されており、
前記側方弾性部材は、前記吸収体の側縁に沿って前記縦方向に延びていて、前記防漏カフ部の前記自由縁は前記側方弾性部材の前記横方向の外側に位置することを特徴とする前記着用物品。
【請求項２】
前記レッグ弾性部において、前記分岐線に隣接する前記サブ領域に含まれる前記脚回り弾性部材の収縮力の方が、前記遠位縁に隣接する前記サブ領域に含まれる前記脚回り弾性部材の収縮力よりも大きい、請求項１に記載の着用物品。
【請求項３】
前記一対の前記防漏カフ部に配置された前記防漏カフ弾性部材が、前記横方向において前記吸収体の両側縁の外側に位置する、請求項１又は２に記載の着用物品。
【請求項４】
前記防漏カフ弾性部材の収縮力が、前記脚回り弾性部材の収縮力より大きい、請求項１〜３のいずれかに記載の着用物品。
【請求項５】
前記前後胴回り域に接合されたサイドフラップ前後端部の平面視において、前記着用物品の前記縦方向中心線から遠ざかる方向に沿って順に、前記防漏カフ弾性部材、前記分岐線弾性部材、前記脚回り弾性部材が並ぶ、請求項１〜４のいずれかに記載の着用物品。
【請求項６】
前記前後胴回り域に前後胴回り弾性部材が前記横方向に伸長状態で接合され、サイドフラップ前後端部が接合された前記前後胴回り域の平面視において、前記前後胴回り弾性部材と、前記防漏カフ弾性部材、前記分岐線弾性部材、及び前記脚回り弾性部材とが交差する、請求項１〜４のいずれかに記載の着用物品。
【発明の詳細な説明】
【技術分野】
【０００１】
本発明は、使い捨ての着用物品に関する。
【背景技術】
【０００２】
従来、使い捨ての着用物品は公知である。例えば、特許文献１には、吸収体と、吸収体の横方向両側縁から外側へ延出し複数本の脚回り弾性部材を有するサイドフラップと、サイドフラップ上の吸収体側縁に沿って長手方向に配置される防漏カフとを有する使い捨ておむつにおいて、防漏カフはサイドフラップの複数本の脚回り弾性部材の間に起立線を有しており、防漏カフの起立線の内側に１本以上の脚回り弾性部材を配置することにより股下部分の防漏カフの堰を高くした使い捨ておむつが開示されている。
【先行技術文献】
【特許文献】
【０００３】
【特許文献１】特開平１０−７５９７６号公報
【０００４】
特許文献１に開示された発明によれば、防漏カフの起立線の内側に１本以上の脚回り弾性部材を配置することにより、脚回り弾性部材の弾性収縮力で防漏カフが立ち上がりやすくなり、防漏カフの堰が高くなる結果、防漏カフで形成するポケット構造の容量が大きくなり、漏れが防止される。
【発明の概要】
【発明が解決しようとする課題】
【０００５】
しかし、特許文献１の使い捨ておむつでは、おむつの脚回りを着用者の脚にフィットさせるためにサイドフラップに設けられた複数本の脚回り弾性部材も防漏カフとともに起立する。本来、サイドフラップに設けられ複数本の脚回り弾性部材は、防漏カフとは異なる場所で着用者の脚にフィットして漏れを防ぐためのものである。しかし、特許文献１の場合、サイドフラップに設けられ複数本の脚回り弾性部材と防漏カフとがともに立ち上がって互いに重なり合う結果、着用者の脚に同じ場所でフィットすることがある。また、サイドフラップに設けられ複数本の脚回り弾性部材と防漏カフとがともに立ち上がったとき、防漏カフが吸収体に対しほぼ垂直になり、防漏カフにより形成される堰は高くなるものの、良好な形状のポケット構造は形成されないという問題もあり、未だ改良の余地がある。
【０００６】
以上に鑑み、本発明は、着用時にサイドフラップに設けられ複数本の脚回り弾性部材と防漏カフとが重なり合うことが無く、安定的にポケット構造が形成される使い捨て着用物品を提供することを課題とする。
【課題を解決するための手段】
【０００７】
本発明は、互いに直交する縦方向及び横方向と、着用者の肌に対向する肌対向面及びその反対側の非肌対向面とを有し、縦方向に並ぶ前胴回り域と、後胴回り域と、前後胴回り域間に位置する股間域とを含み、股間域から前後胴回り域へ延び出す吸収構造体を備える使い捨て着用物品に関する。
【０００８】
本発明の着用物品は、吸収構造体は、縦方向に延びる吸収体と、吸収体の両側縁から横方向両外側に延び出す一対のサイドフラップとを備え、一対のサイドフラップはそれぞれ、吸収体の側縁から横方向に離間して縦方向に延びる遠位縁と、吸収体の側縁と遠位縁との間の肌対向面に位置して縦方向に延びる分岐線と、分岐線から分岐して着用物品の縦方向中心線に向かう方向に延び出す防漏カフ部と、分岐線と遠位縁との間に位置して縦方向に延びるレッグ弾性部とを備え、防漏カフ部とレッグ弾性部とは、分岐線において互いに接合され、防漏カフ部は、分岐線から横方向に離間して縦方向に延びる自由縁を有し、自由縁に沿って防漏カフ弾性部材が伸長状態で接合され、レッグ弾性部が、縦方向に延びるとともに横方向寸法が互いに等しい３つのサブ領域に区画され、サブ領域のそれぞれに、脚回り弾性部材が縦方向に伸長状態で接合され、レッグ弾性部の縦方向両端部に位置するレッグ弾性部前端部及びレッグ弾性部後端部がそれぞれ前胴回り域及び後胴回り域に接合されており、サイドフラップにおいて、分岐線と防漏カフ弾性部材との間であって分岐線に接する位置に、分岐線弾性部材が縦方向に伸長状態で接合されていて、分岐線よりも横方向内側に側方弾性部材が伸長状態で接合されており、側方弾性部材は、吸収体の側縁に沿って縦方向に延びていて、防漏カフ部の自由縁は側方弾性部材の横方向の外側に位置する。
【発明の効果】
【０００９】
本発明により、着用時にサイドフラップに設けられ複数本の脚回り弾性部材と防漏カフとが重なり合うことが無く、安定的にポケット構造が形成される使い捨て着用物品が提供される。
【図面の簡単な説明】
【００１０】
図面は、本発明の特定の実施の形態を示し、発明の不可欠な構成ばかりでなく、選択的及び好ましい実施の形態を含む。
【図１】この発明に係る使い捨て着用物品の一例のおむつの斜視図。
【図２】図１のおむつの一部破断展開図。
【図３】図２のＩＩＩ−ＩＩＩ線断面模式図。
【図４】図２のＩＶ−ＩＶ線断面模式図。
【図５】着用時におけるおむつの股間域の状態を表す断面模式図。
【図６】おむつの変形例を表す図３と同様の断面模式図。
【図７】おむつの別の変形例を表す図３と同様の断面模式図
【発明を実施するための形態】
【００１１】
下記の実施の形態は、本発明の使い捨て着用物品の一例として添付の図面に示すおむつ１０に関し、発明の不可欠な構成ばかりでなく、選択的及び好ましい構成を含む。
【００１２】
図１〜３を参照すると、使い捨ておむつ１０は、横方向Ｘ及び縦方向Ｙと、おむつ１０の横方向Ｘ寸法を二等分して縦方向Ｙに延びる縦方向中心線Ｐと、肌対向面とその反対側の面である非肌対向面とを有する。おむつ１０は、縦方向Ｙに並ぶ前胴回り域１１と、後胴回り域１２と、前後胴回り域１１，１２の間に位置する股間域１３とを含み、股間域１３から前後胴回り域１１，１２へ延び出す吸収構造体１４を備える。前胴回り域１１及び後胴回り域１２にはそれぞれ、前ウエストパネル１６及び後ウエストパネル１７が含まれる。股間域１３には吸収構造体１４が含まれ、吸収構造体１４の縦方向Ｙ両端部に位置する前後端部１４ａ，１４ｂはそれぞれ、前後ウエストパネル１６，１７、すなわち前胴回り域１１及び後胴回り域１２に接合される。
【００１３】
前ウエストパネル１６は略長方形状であって、横方向Ｘへ互いに並行して延びる内端縁１６ａ及び外端縁１６ｂと、縦方向Ｙに互いに並行して延びる両外側縁１６ｃとを有する。後ウエストパネル１７は、略台形状であって、横方向Ｘに延びる中間内端縁１７ａと、中間内端縁１７ａに並行して横方向Ｘへ延びる外端縁１７ｂと、内外端縁１７ａ，１７ｂ間を縦方向Ｙへ延びる両外側縁１７ｃと、両外側縁１７ｃと中間内端縁１７ａとつなぎ、かつ、縦方向中心線Ｐに対して傾斜して延びる両内側縁１７ｄとを有する。
【００１４】
前ウエストパネル１６の両側縁１６ｃと、後ウエストパネル１７の両側縁１７ｃとは、互いに重ね合わされて縦方向Ｙへ断続的に延びるサイドシーム２０において連結され、ウエスト開口１８及び一対のレッグ開口１９が形成される。サイドシーム２０では、加熱又は超音波によるエンボス加工によって重なり合うシートどうしが互いに熱融着される。
【００１５】
図２を参照すると、前後ウエストパネル１６，１７にはそれぞれ、肌対向面側に位置する内層シート２１，２２と、非肌対向面側に位置する外層シート２３，２４とが含まれる。また、前後ウエストパネル１６，１７のそれぞれにおいて、複数条のストランド状の弾性材料からなる前後胴回り弾性部材２５，２６が、横方向Ｘへ伸長された状態で内層シート２１，２２と外層シート２３，２４との間にホットメルト接着剤により取り付けられている。
【００１６】
内層シート２１，２２と外層シート２３，２４との接合は、内層シート２１，２２と外層シート２３，２４との間にホットメルト接着剤を塗布して行うことができる。また、前後胴回り弾性部材２５，２６の外周に塗布されたホットメルト接着剤を利用して、内層シート２１，２２と外層シート２３，２４とを接合することもできる。内層シート２１，２２はそれぞれ１枚のシート材料のみで形成されていてもよいし、複数のシート材料から形成されていてもよい。前後胴回り弾性部材２５，２６には、伸縮不織布または繊度が約３００〜９４０ｄｔｅｘのストランド状の弾性材料を、伸長倍率が約１．５〜３．０倍になるようにして用いることができる。
【００１７】
吸収構造体１４は縦長の矩形状であって、前ウエストパネル１６の肌対向面に接合される前端部１４ａと、後ウエストパネル１７の肌対向面に接合される後端部１４ｂと、前後端部１４ａ，１４ｂ間において縦方向Ｙへ延び、股間域１３に位置する中間部１４ｃとを有する。図２及び３を参照すると、吸収構造体１４は、使用時に着用者の肌に対向するトップシート３０と、トップシート３０の非肌対向面側に配置されるバックシート３１と、トップシート３０とバックシート３１との間に介在する吸収体３２と、バックシート３１の非肌対向面側に配置される被覆シート３３とを含む。トップシート３０、バックシート３１及び被覆シート３３は、吸収体３２から延横方向Ｘ及び縦方向Ｙに延出している。
【００１８】
トップシート３０は透液性を有するシート部材であり、例えば、単位面積当たり質量が約１５〜２５ｇ／ｍ２の親水化処理されたスパンボンド不織布、ＳＭＳ不織布等を用いることができる。バックシート３１は非透液性のシート部材であり、例えば単位面積当たり質量が約１０〜２５ｇ／ｍ２で、好ましくは通気性を有するプラスチックフィルム又は不織布から形成することができる。被覆シート３３も非透液性のシート部材であり、例えば単位面積当たり質量が約１０〜２５ｇ／ｍ２の疎水性のＳＭＳ不織布やスパンボンド不織布等から形成することができる。
【００１９】
吸収体３２は、前後ウエストパネル１６，１７に位置する前後端縁３２ａ，３２ｂと、前後端縁３２ａ,３２ｂ間において縦方向Ｙへ延びる両側縁３２ｃとを有し、フラッフパルプ及び超吸収性ポリマー粒子等の吸収材料から形成された吸液性コア（図示せず）と、吸液性コア全体を包被するためのティッシュペーパ等の透液性のコアラップシート（図示せず）とを含む。
【００２０】
図２〜図４を参照して、吸収構造体１４の横方向Ｘ中央部には吸収体３２が縦方向Ｙに延びる。吸収体３２の側縁３２ｃから横方向Ｘ両外側にトップシート３０、バックシート３１、及び被覆シート３３それぞれの一部が延び出して、縦方向中心線Ｐに関し対称に縦方向Ｙに延びる一対のサイドフラップ４０を形成している。吸収構造体１４の前後端部１４ａ，１４ｂには、サイドフラップ４０の縦方向Ｙ両端部に位置するサイドフラップ前端部４０ａ及び後端部４０ｂが含まれる。サイドフラップ前端部４０ａ及び後端部４０ｂはそれぞれ前後ウエストパネル１６，１７の肌対向面に接合される。
【００２１】
サイドフラップ４０は、サイドフラップ４０の外側縁に相当し縦方向Ｙに延びる遠位縁４０ｃと、吸収体３２の側縁３２ｃと遠位縁４０ｃとの間の肌対向面に位置して縦方向Ｙに延びる分岐線４１と、分岐線４１から分岐して縦方向中心線Ｐに向かう方向に延び出す防漏カフ部４２と、分岐線４１と遠位縁４０ｃとの間に位置するレッグ弾性部４３とを備える。防漏カフ部４２及びレッグ弾性部４３は縦方向Ｙに延びる。サイドフラップ４０ではさらに、吸収体３２の両側縁３２ｃに沿って側方弾性部材４７が縦方向Ｙに延び、また、分岐線４１に沿って分岐線弾性部材４４が縦方向Ｙに延びる。防漏カフ部４２は、分岐線４１から離間して縦方向Ｙに延びる自由縁４２ｃと、自由縁４２ｃに沿って縦方向Ｙに延びる防漏カフ弾性部材４５とを備える。防漏カフ部４２の縦方向Ｙ両端部にはそれぞれ、防漏カフ前端部４２ａ及び防漏カフ後端部４２ｂが位置する。防漏カフ前後端部４２ａ，４２ｂはそれぞれ前後ウエストパネル１６，１７の肌対向面に接合される。レッグ弾性部４３は、分岐線４１とサイドフラップ遠位縁４０ｃとの間で縦方向Ｙに延びる脚回り弾性部材４６を備える。レッグ弾性部４３の縦方向Ｙ両端部にはそれぞれ、レッグ弾性部前端部４３ａ及びレッグ弾性部後端部４３ｂが位置する。レッグ弾性部前後端部４３ａ，４３ｂはそれぞれ前後ウエストパネル１６，１７の肌対向面に接合される。サイドフラップ前端部４０ａは防漏カフ前端部４２ａ及びレッグ弾性部前端部４３ａからなり、サイドフラップ後端部４０ｂは防漏カフ後端部４２ｂ及びレッグ弾性部後端部４３ｂからなる。
【００２２】
防漏カフ部４２とレッグ弾性部４３は、サイドフラップ４０に含まれるトップシート３０、バックシート３１、及び被覆シート３３を折り返して形成されている。具体的には、レッグ弾性部４３は、サイドフラップ４０に含まれる被覆シート３３を縦方向中心線Ｐに向けて折り返して形成している（図３、図４参照）。また、防漏カフ部４２は、縦方向中心線Ｐに向けて折り返した被覆シート３３の端部３３ａと、縦方向中心線Ｐに向けて折り返したバックシート３１及びトップシート３０とを重ね合わせて形成している。レッグ弾性部４３において分岐線４１とサイドフラップ遠位縁４０ｃとの間で重なり合う被覆シート３３どうしは、ホットメルト接着剤（図示せず）により互いに接合されている。また、防漏カフ部４２において分岐線４１と自由縁４２ｃとの間で重なり合う被覆シート３３、バックシート３１及びトップシート３０も、ホットメルト接着剤（図示せず）により互いに接合されている。これにより、防漏カフ部４２とレッグ弾性部４３とは、分岐線４１においてホットメルト接着剤（図示せず）により互いに接合される。なお、添付の図面では、防漏カフ前後端部４２ａ，４２ｂをサイドフラップ４０の肌対向面に接合するためのホットメルト接着剤のみを図示している。
【００２３】
吸収体３２の側縁３２ｃに沿って延びる側方弾性部材４７には、繊度が約３００〜９４０ｄｔｅｘの１条以上のストランド状の弾性材料を伸長倍率約１．５〜３．０倍にして用いることができる。本実施形態では、吸収体３２の横方向Ｘ外側に、７８０ｄｔｅｘの弾性糸１本を、縦方向Ｙに２．２倍伸長させて接合している。側方弾性部材４７は、おむつ１０が着用されたとき、吸収体３２をウエスト開口１８に向けて引き上げ、吸収体３２がずり下がることを防止する。
【００２４】
レッグ弾性部４３に配置される脚回り弾性部材４６は、縦方向Ｙに伸長状態で接合される。詳しくは、レッグ弾性部４３は縦方向Ｙに延びるとともに横方向Ｘ寸法が互いに等しい３つのサブ領域４９に区画され、３つのサブ領域４９のそれぞれに、脚回り弾性部材４６が配置されている。脚回り弾性部材４６には、帯状またはストランド状の弾性材料を、約１．５〜３．０倍に伸長して用いることができる。ストランド状の弾性材料を用いる場合、繊度が約３００〜９４０ｄｔｅｘの弾性糸を用いることが好ましい。本実施形態では、脚回り弾性部材４６として、複数条の弾性糸を用いている。
【００２５】
３つのサブ領域４９のそれぞれに配置される脚回り弾性部材４６のうち、分岐線４１に隣接するサブ領域４９に配置される脚回り弾性部材４６の収縮力の方が、遠位縁４０ｃに隣接するサブ領域４９に配置される脚回り弾性部材４６の収縮力よりも大きいことが好ましい。また、各サブ領域４９に配置される脚回り弾性部材４６の伸長倍率をほぼ同じ値にすることが好ましい。これにより、レッグ弾性部４３がレッグ開口１９からおむつ１０の横方向Ｘ外側に向けて筒状に突き出し易くなる。一例を挙げると、レッグ弾性部４３において分岐線４１に隣接するサブ領域４９に、６２０ｄｔｅｘの弾性糸を伸長倍率２．２倍にして２条配置するとともに、遠位縁４０ｃに隣接するサブ領域４９に３１０ｄｔｅｘの弾性糸を伸長倍率２．０〜２．２倍にして２条配置し、更にこの２つのサブ領域４９の間に位置するサブ領域４９に、６２０ｄｔｅｘで伸長倍率２．２倍の１条の弾性糸と、３１０ｄｔｅｘで伸長倍率２．０〜２．２倍の１条の弾性糸を配置することができる。脚回り弾性部材４６は、被覆シート３３を折り返した内側に接合することができる。脚回り弾性部材４６を複数条のストランド状の弾性材料で構成すれば、レッグ弾性部４３が筒状の蛇腹構造となっておむつ１０のレッグ開口１９から横方向Ｘ外側に向けて突き出して着用者の腿にフィットし易くなる。また、レッグ弾性部４３において分岐線４１に隣接するサブ領域４９に含まれる脚回り弾性部材４６の収縮力を、遠位縁４０ｃに隣接するサブ領域４９に含まれる脚回り弾性部材４６の収縮力よりも大きくすることにより、分岐線４１近傍を着用者の腿に確実にフィットさせることができ、さらに遠位縁４０ｃが着用者の肌を刺激することが防止される。
【００２６】
分岐線弾性部材４４は、脚回り弾性部材４６と防漏カフ弾性部材４５の間に位置し、防漏カフ部４２の起立基端縁である分岐線４１に隣接して縦方向Ｙに延びる。分岐線弾性部材４４は、おむつ１０が着用されたときに分岐線４１をウエスト開口１８に向けて引き上げ、分岐線４１がずり下がることを防止する。防漏カフ部４２とレッグ弾性部４３との重なり合いを防止するために、分岐線弾性部材４４を、分岐線４１と防漏カフ弾性部材４５との間であって、分岐線４１に接する位置に配置することが好ましい。これにより、防漏カフ部４２がレッグ弾性部４３に向けて倒れることを有効に防止できる。本発明において分岐線弾性部材４４は必須ではなく、省略することもできる。
【００２７】
分岐線弾性部材４４には、繊度が約３００〜９４０ｄｔｅｘの１条以上のストランド状の弾性材料を、伸長倍率を約１．５〜３．０倍にして用いることができる。本実施形態では、７８０ｄｔｅｘの弾性糸を伸長倍率２．２倍で縦方向Ｙに伸長させ、この弾性糸にホットメルト接着剤（図示せず）を塗布して、防漏カフ部４２に含まれる被覆シート３３及びバックシート３１との間に接合している。図３〜５に示すように、本実施形態では、平面視において分岐線４１の位置と分岐線弾性部材４４の位置とがほぼ一致している。別言すれば、分岐線弾性部材４４に塗布されたホットメルト接着剤を介して、防漏カフ部４２とレッグ弾性部４３とが接合されている。これに代えて、レッグ弾性部４３と防漏カフ部４２との境界に位置する被覆シート３３と、防漏カフ部４２に含まれるバックシート３１とをホットメルト接着剤で接合して分岐線４１とすることによって、防漏カフ部４２とレッグ弾性部４３とを分岐線４１におい接合することができる。この場合、分岐線４１と防漏カフ弾性部材４５との間であって分岐線４１に隣接する位置に分岐線弾性部材４４を配置し、防漏カフ部４２に接合する。
【００２８】
防漏カフ部４２は、分岐線４１から横方向Ｘに離間して縦方向Ｙに延びる自由縁４２ｃを有し、自由縁４２ｃに沿って防漏カフ弾性部材４５が伸長状態で接合される。防漏カフ部４２の縦方向Ｙ両端部に位置する防漏カフ前後端部４２ａ，４２ｂは、サイドフラップ４０の肌対向面にホットメルト接着剤５０により接合される。ここで、防漏カフ前後端部４２ａ，４２ｂに含まれる防漏カフ弾性部材４５を、吸収体３２の両側縁３２ｃの横方向Ｘ外側に配置することが好ましい。また、防漏カフ弾性部材４５は、吸収体３２の側縁３２ｃに近接させることが好ましく、例えば吸収体３２の側縁３２ｃと、防漏カフ弾性部材４５との横方向Ｘにおける離間距離を２ｃｍ以内にすることが好ましい。防漏カフ前後端部４２ａ，４２ｂの間に延在する自由縁４２ｃは、おむつ１０の着用時に防漏カフ弾性部材４５が収縮することにより吸収体３２に対して立ち上がる。これにより、防漏カフ４２が排泄物の漏れを防止する堰として機能する。
【００２９】
本実施形態では、防漏カフ弾性部材４５は被覆シート３３を折り返した内側に接合されている。防漏カフ弾性部材４５には、繊度が約３００〜９４０ｄｔｅｘの１条以上のストランド状の弾性材料を、伸長倍率が約１．５〜３．０倍になるようにして用いることができる。本実施形態では、４７０ｄｔｅｘの弾性糸２本を伸長倍率２．８倍で伸長させて用いている。しかし本発明はこれに限定されず、例えば３１０ｄｔｅｘの弾性糸２本を伸長倍率２．２倍で伸長させて用いる等、種々変更して実施することができる。また本実施形態では、防漏カフ部４２の防漏カフ前後端部４２ａ，４２ｂは、防漏カフ部４２を縦方向中心線Ｐに向けて横倒しにした状態で前後ウエストパネル１６，１７に接合している。しかし本発明はこれに限定されず、例えば図６に示すように、防漏カフ弾性部材４５が配置された自由縁４２ｃを縦方向中心線Ｐから遠ざかる方向に折り曲げ、防漏カフ前後端部４２ａ，４２ｂにおいて自由縁４２ｃを折り畳んだ状態にして前後ウエストパネル１６，１７に接合することもできる。このように防漏カフ部４２の自由縁４２ｃを折り畳むことにより、自由縁４２ｃの剛性が向上して、レッグ弾性部４３と防漏カフ部４２とが重なり合ったり交差したりすることがより有効に防止される。
【００３０】
防漏カフ部４２の分岐線４１から自由縁４２ｃに至る部分では、非透液性の被覆シート３３と、非透液性のバックシート３１とが重なり合う。これにより、吸収体３２に対して立ち上がった一対の防漏カフ部４２の間に溜まった排泄物が防漏カフ部４２から滲みだすことが防止される。また、一対の防漏カフ部４２の分岐線４１の間に透液性を有するトップシート３０を吸収体３２の肌対向面上に配置し、一対の防漏カフ部４２の間に排泄された尿が速やかに吸収体３２へ導かれるようにすることにより、尿が防漏カフ部４２からあふれ出すことを防止している。防漏カフ部４２がレッグ弾性部４３に重なることを防止するために、防漏カフ部４２の分岐線４１から自由縁４２ｃに至る距離が、分岐線４１からレッグ弾性部４３の遠位縁４０ｃに至る距離とほぼ同じか短いことが好ましい。
【００３１】
図２を参照して、おむつ１０の前後ウエストパネル１６，１７に接合されたサイドフラップ前後端部４０ａ，４０ｂの平面視において、おむつ１０の縦方向中心線Ｐから遠ざかる方向に沿って順に、防漏カフ弾性部材４５、分岐線弾性部材４４、脚回り弾性部材４６が位置する。おむつ１０が着用されたとき、おむつ１０の前後ウエストパネル１６，１７に接合されたサイドフラップ前後端部４０ａ，４０ｂは、着用者の胴回り方向、すなわちおむつ１０の横方向Ｘに伸長されるが、おむつ１０の前後ウエストパネル１６，１７に対し接合された防漏カフ弾性部材４５と脚回り弾性部材４６とが、互いに横方向Ｘにおいて離間する位置関係が維持される。
【００３２】
おむつ１０が着用されたとき、図５に模式的に示すように、おむつ１０の股間域１３において、防漏カフ弾性部材４５と脚回り弾性部材４６との間に位置する分岐線弾性部材４４が、防漏カフ部４２とレッグ弾性部４３との間に位置する分岐線４１をウエスト開口１８に向けて引き上げる。この結果、分岐線４１がずり下がることが防止されて防漏カフ部４２とレッグ弾性部４３とが成す角が維持され、防漏カフ部４２とレッグ弾性部４３とが重なり合ったり交差したりすることが防止される。また、吸収体３２の両側縁３２ｃに沿って配置された側方弾性部材４７は、吸収体３２をウエスト開口１８に向けて引き上げる。平面視において防漏カフ弾性部材４５は吸収体３２の側縁３２ｃの横方向Ｘ外側に位置し、レッグ弾性部４３は防漏カフ弾性部材４５よりもさらに横方向Ｘ外側に位置する。このため、図５に示すように、股間域１３においてレッグ弾性部４３がおむつ１０の横方向Ｘ外側に突き出すとともに、サイドフラップ４０において吸収体３２の側縁３２ｃからレッグ弾性部４３に至る部分が斜め上方に延び出す。この結果、吸収体３２の両側に、おむつ１０の内側から見たとき横方向Ｘ外側に窪んだポケット構造４８が安定的に形成される。ここで、防漏カフ弾性部材４５の収縮力の方が、レッグ弾性部４３に含まれる脚回り弾性部材４６の収縮力より大きいことが好ましい。これにより、吸収体３２の両横におむつ１０の内側から見たとき横方向Ｘ外側に窪んだポケット構造４８が安定的に形成されやすくなる。このポケット構造４８に進入した排泄物は、防漏カフ部４２と、サイドフラップ４０において吸収体３２の両側縁３２ｃからレッグ弾性部４３に至る部分との間に保持されるので、おむつ１０の漏れ防止性能が向上する。
【００３３】
防漏カフ前後端部４２ａ，４２ｂを吸収体３２の両側縁３２ｃの内側に配置した場合、サイドフラップ４０において吸収体３２の側縁３２ｃからレッグ弾性部４３に至る部分が垂直に立ち上がる形状になって、おむつ１０の内側から見たとき横方向Ｘ外側に窪んだポケット構造４８が形成されにくくなる。このため、防漏カフ弾性部材４５は、吸収体３２の側縁３２ｃの横方向Ｘ外側に配置することが好ましい。
【００３４】
また、サイドフラップ前後端部４０ａ，４０ｂが接合された前後胴回り域１１，１２の平面視において、横方向Ｘに延びる前後胴回り弾性部材２５，２６と、縦方向Ｙに延びる防漏カフ弾性部材４５、分岐線弾性部材４４、及び脚回り弾性部材４６とが交差するように配置すれば、各弾性部材が連動し、また防漏カフ弾性部材４５、分岐線弾性部材４４、及び脚回り弾性部材４６を横方向Ｘに確実に離間させることができるので好ましい。但し、各弾性部材が連動可能である限り、交差していることは必須ではなく、例えば２０ｍｍ以内の範囲で離間していてもよい。また、前後胴回り域１１，１２にサイドフラップ前後端部４０ａ，４０ｂを接合する際、前後胴回り弾性部材２５，２６と、防漏カフ弾性部材４５、分岐線弾性部材４４、及び脚回り弾性部材４６とが交差する位置にホットメルト接着剤を塗布することが好ましい。これにより、各弾性部材の連動性を高めることができる。
【００３５】
以上の説明では、脚回り弾性部材４６が複数条のストランド状の弾性材料である場合について説明した。しかし図７に例示すように、ストランド状の弾性材料に代えて帯状の伸縮不織布を脚回り弾性部材４６として用い、レッグ弾性部４３の３つのサブ領域４９のそれぞれに１片の帯状の伸縮不織布を接合することもできる。この場合も、レッグ弾性部４３において分岐線４１に隣接するサブ領域４９に含まれる帯状の伸縮不織布の収縮力を、遠位縁４０ｃに隣接するサブ領域４９に含まれる帯状の伸縮不織布の収縮力よりも大きくすることが好ましい。また、帯状の伸縮不織布を横方向Ｘに互いに離間させることが好ましい。脚回り弾性部材４６として帯状の伸縮不織布を用いることによっても、着用時にレッグ弾性部４３と防漏カフ部４２とが重なり合ったり交差したりすることが防止され、また安定的にポケット構造が形成される。
【００３６】
以上、本願発明について、スリーピース型使い捨ておむつ１０を例に説明したが、前胴後胴回り域１１，１２と、股間域１３とに区画されるシャーシに、吸収構造体１４を接合して本願の使い捨て着用物品を得ることもできる。また、吸収構造体１４を構成するサイドフラップ４０と吸収体３２とを別体の部材とすることもできる。さらに、サイドフラップ４０に含まれる防漏カフ部４２及びレッグ弾性部４３の一方をサイドフラップ４０とは別体の部材とし、分岐線４１においてサイドフラップ４０に接合することもできる。上記の各実施形態では、特に断りの無い限り接合はホットメルト接着剤により行っているが、熱溶着、超音波溶着により接合することもできる。着用物品を構成する各構成部材には、本願の明細書に開示されている材料のほかに、本願発明の属する技術分野において通常用いられている各種の公知の材料を制限なく用いることができる。
【００３７】
以上に記載した本発明の着用物品に関する開示は、少なくとも下記の事項に整理することができる。
縦方向及び横方向と、着用者の肌に対向する肌対向面及びその反対側の非肌対向面とを有し、縦方向に並ぶ前胴回り域と、後胴回り域と、前後胴回り域間に位置する股間域とを含み、股間域から前後胴回り域へ延び出す吸収構造体を備える使い捨て着用物品であって、吸収構造体は、縦方向に延びる吸収体と、吸収体の両側縁から横方向両外側に延び出す一対のサイドフラップとを備え、一対のサイドフラップはそれぞれ、吸収体の側縁から横方向に離間して縦方向に延びる遠位縁と、吸収体の側縁と遠位縁との間の肌対向面に位置して縦方向に延びる分岐線と、分岐線から分岐して着用物品の縦方向中心線に向かう方向に延び出す防漏カフ部と、分岐線と遠位縁との間に位置して縦方向に延びるレッグ弾性部とを備え、防漏カフ部とレッグ弾性部とは、分岐線において互いに接合され、防漏カフ部は、分岐線から横方向に離間して縦方向に延びる自由縁を有し、自由縁に沿って防漏カフ弾性部材が伸長状態で接合され、レッグ弾性部が、縦方向に延びるとともに横方向寸法が互いに等しい３つのサブ領域に区画され、サブ領域のそれぞれに、脚回り弾性部材が縦方向に伸長状態で接合され、レッグ弾性部の縦方向両端部に位置するレッグ弾性部前端部及びレッグ弾性部後端部がそれぞれ前胴回り域及び後胴回り域に接合されており、サイドフラップにおいて、分岐線と防漏カフ弾性部材との間であって分岐線に接する位置に、分岐線弾性部材が縦方向に伸長状態で接合されていて、分岐線よりも横方向内側に側方弾性部材が伸長状態で接合されており、側方弾性部材は、吸収体の側縁に沿って縦方向に延びていて、防漏カフ部の自由縁は側方弾性部材の横方向の外側に位置する。
【００３８】
上記段落００３７に開示した着用物品に関する本発明は、少なくとも下記の実施の形態を含むことができる。該実施の形態は、分離して又は互いに組み合わせて採択することができる。
（１）レッグ弾性部において、分岐線に隣接するサブ領域に含まれる脚回り弾性部材の収縮力の方が、遠位縁に隣接するサブ領域に含まれる脚回り弾性部材の収縮力よりも大きい。
（２）一対の防漏カフ部に配置された防漏カフ弾性部材が、横方向において吸収体の両側縁の外側に位置する。
（３）防漏カフ弾性部材の収縮力が、脚回り弾性部材の収縮力より大きい。
（４）前後胴回り域に接合されたサイドフラップ前後端部の平面視において、着用物品の縦方向中心線から遠ざかる方向に沿って順に、防漏カフ弾性部材、分岐線弾性部材、脚回り弾性部材が並ぶ。
（５）前後胴回り域に前後胴回り弾性部材が横方向に伸長状態で接合され、サイドフラップ前後端部が接合された前後胴回り域の平面視において、前後胴回り弾性部材と、防漏カフ弾性部材、分岐線弾性部材、及び脚回り弾性部材とが交差する。
【符号の説明】
【００３９】
１０    おむつ（使い捨ての着用物品）
１１    前胴回り域
１２    後胴回り域
１３    股間域
１４    吸収構造体
１４ａ  吸収構造体の前端部
１４ｂ  吸収構造体の後端部
１６    前ウエストパネル
１７    後ウエストパネル
２５    前胴回り弾性部材
２６    後胴回り弾性部材
３２    吸収体
３２ｃ  吸収体の側縁
４０    サイドフラップ
４０ａ  サイドフラップ前端部
４０ｂ  サイドフラップ後端部
４０ｃ  サイドフラップ遠位縁
４１    分岐線
４２    防漏カフ部
４２ｃ  自由縁
４３    レッグ弾性部
４３ａ    レッグ弾性部前端部
４３ｂ    レッグ弾性部後端部
４４    分岐線弾性部材
４５    防漏カフ弾性部材
４６    脚回り弾性部材
４７    側方弾性部材
４９    サブ領域
Ｐ      縦方向中心線
Ｘ      横方向
Ｙ      縦方向
【図１】
0006510808.tif 000002
【図２】
0006510808.tif 000003
【図３】
0006510808.tif 000004
【図４】
0006510808.tif 000005
【図５】
0006510808.tif 000006
【図６】
0006510808.tif 000007
【図７】
0006510808.tif 000008